(57)【要約】 【課題】  開封に必要なけん引エネルギーを最適化及び減少させるように設計された新しい蓋構造を開発すること。【解決手段】  本発明は容器体、詳細には金属缶タイプの容器のための金属蓋（１）に関し、前記蓋（１）は中心封鎖パネルを形成する中心部分（４）を含み、前記中心封鎖パネルは破断開始線（３）により区切られ、前記中心封鎖パネルには近位帯（３ｃ）と遠位帯（３ｂ２）の間の前記中心パネル（４）に定められた一般的けん引線（９）に沿って前記破断開始線（３）を破断するために前記中心パネル（４）にけん引力を与えるための把持部材（６）が設けられる。発明の中心パネル（４）はさらに一般的けん引線（９）に対して横方向の線に少なくとも沿った折り畳みに対するその抵抗力を強化するように配置された成形区分（１０ａ、１０ｂ）により形成された一つ以上の内側成形部（１０）を備え、内側成形区分（１０ｂ）の少なくとも二つはそれぞれ、一般的けん引線（９）の片側に設けられ、いわゆる「鞍」又は「瓦」効果を発生させるために一般的けん引線（９）からも互いにも発散するように延びる。【選択図】        図１
2012527381.tif 000002
【特許請求の範囲】
【請求項１】
容器体、詳細には金属缶タイプの容器のための金属蓋において、
前記蓋（１）は（ｉ）それを前記容器体に取り付けるための周辺部分（２）と、（ｉｉ）破断開始線（３）により区切られて前記周辺部分（２）に接続された中心封鎖パネルを形成する中心部分（４）とを備え、
前記中心パネル（４）の表面の一方には縦方向対称軸（６’）が通過する二つの部分、すなわち、前記中心パネル（４）に取り付けられた第１の部分（７）と、把持用の第２の部分（８）とから成る把持部材（６）が取り付けられ、
前記把持部材（６）は、前記把持部材（６）に隣接する近位帯（３ｃ）から前記把持部材（６）の反対端にある遠位帯（３ｂ２）まで前記破断開始線（３）を破断するために前記中心パネル（４）をけん引することを可能にし、
前記把持部材（６）はこのけん引中に、前記近位帯（３ｃ）と前記遠位帯（３ｂ２）の間の前記中心パネル（４）上に定められた一般的けん引線（９）の少なくとも近似的に長さにわたり、それに向き合って進行するように設計され、
前記中心パネル（４）はまた、前記一般的けん引線（９）に対して横方向の線に少なくとも沿った曲がりに対するその抵抗力を強化するために配置された、諸成形区分（１０ａ、１０ｂ）で形成された一つ以上の内側成形部（１０）を備え、少なくとも二つの内側成形区分（１０ｂ１、１０ｂ２）はそれぞれ前記一般的けん引線（９）の片側に配置されている
蓋（１）であって、
前記内側成形区分（１０ｂ）は、それぞれが前記一般的けん引線（９）の片側に配置された二つの横方向成形部分（１３）を形成し、前記横方向成形部分（１３）はそれぞれ（ｉ）一般的けん引線（９）の側にある内側成形区分（１０ｂ１）と、（ｉｉ）前記内側区分（１０ｂ１）と分離して間隔を置いて延び、前記破断開始線（３）と向き合う外側成形区分（１０ｂ２）とを備え、
前記二つの横方向成形部分（１３）の前記内側区分（１０ｂ１）及び／又は外側区分（１０ｂ２）は前記一般的けん引線（９）に対し、また互いに発散するように延びて発散成形区分を形成することを特徴とする蓋。
【請求項２】
前記二つの横方向成形部分（１３）の内側区分（１０ｂ１）は前記一般的けん引線（９）に対し、また互いに発散するように延び、前記二つの横方向成形部分（１３）の外側区分（１０ｂ２）は前記一般的けん引線（９）に対し、また互いに発散するように延び、前記二つの横方向成形部分（１３）の前記内側区分（１０ｂ１）と前記外側区分（１０ｂ２）は前記発散成形区分を形成することを特徴とする請求項１に記載の蓋。
【請求項３】
前記二つの横方向成形部分（１３）の内側区分（１０ｂ１）及び／又は外側区分（１０ｂ２）は前記破断開始線（３）の前記遠位帯（３ｂ２）に向かって前記一般的けん引線（９）に対し、また互いに発散するように延びることを特徴とする請求項１及び２の何れか一つに記載の蓋。
【請求項４】
前記二つの横方向成形部分（１３）の前記内側区分（１０ｂ１）は、前記一般的けん引線（９）上に延びる第１の接合区分（１０ｂ４）を介して前記一般的けん引線（９）に近接する第１の端部において接続され、前記横方向成形部分（１３）のそれぞれの前記二つの区分（１０ｂ１、１０ｂ２）は前記一般的けん引線から距離を置き、前記破断開始線（３）に近接するそれらの第２の端部において第２の接合区分（１０ｂ３）を介して接続されることを特徴とする請求項１ないし３に何れか一つに記載の蓋。
【請求項５】
全く同一の横方向成形部分（１３）の前記二つの成形区分（１０ｂ１、１０ｂ２）は前記一般的けん引線（９）に近接するそれらの端部から、前記一般的けん引線（９）から遠いそれらの端部まで互いに発散することを特徴とする請求項１ないし４の何れか一つに記載の蓋。
【請求項６】
前記発散成形区分（１０ｂ１、１０ｂ２）はそれらの長さの少なくとも一部にわたり直線状又は少なくとも実質的に直線状に延びることを特徴とする請求項１ないし５の何れか一つに記載の蓋。
【請求項７】
前記発散成形区分（１０ｂ１、１０ｂ２）は前記一般的けん引線（９）に対して対称的又は実質的に対称的に延びることを特徴とする請求項１ないし６の何れか一つに記載の蓋。
【請求項８】
前記一般的けん引線（９）は少なくとも二つの部分、すなわち、
−前記破断開始線（３）の前記近位帯（３ｃ）の側にあり、前記把持部材（６）の縦軸（６’）と同軸方向又は少なくとも実質的に同軸方向に向いた近位部分（９ａ）と、
−前記開始線（３）の前記遠位帯（３ｃ２）の側にあり、前記遠位帯（３ｃ２）を通過する前記中心パネル（４）の中央軸（４’）と同軸方向又は少なくとも実質的に同軸方向に向いた遠位部分（９ｂ）とから成り、
前記発散成形部分（１０ｂ１、１０ｂ２）は前記一般的けん引線（９）の前記遠位部分（９ｂ）上に配置される
ことを特徴とする請求項１ないし７の何れか一つに記載の蓋。
【請求項９】
少なくとも二つの他の成形区分（１０ａ）はそれぞれ前記一般的けん引線（９）の前記近位部分（９ａ）の両側に配置され、前記近位成形区分（９ａ）は前記破断開始線（３）の一部に近接してそれに沿って延びることを特徴とする請求項８に記載の蓋。
【請求項１０】
前記近位成形区分（１０ａ）はそれぞれ前記横方向成形部分（１３）の内の一つの前記外側区分（１０ｂ２）の前記第１の端部に接続されることを特徴とする請求項９に記載の蓋。
【請求項１１】
前記二つの発散成形区分（１０ｂ１、１０ｂ２）は前記一般的けん引線（９）の近位から遠位への方向に離れることを特徴とする請求項１ないし１０の何れか一つに記載の蓋。
【請求項１２】
前記中心パネル（４）は二つの横方向区分（３ｂ）により接続された二つの縦方向区分（３ａ）を備える破断開始線（３）により区切られた概ね非円形の形状を有し、
前記把持部材（６）は、その近位破断帯（３ｃ）を形成するために前記破断開始線（３）の第１の横方向区分（３ｂ１）と第１の縦方向区分（３ａ１）との接合部に対応する前記破断開始線（３）の隅に取り付けられ、
前記二つの発散成形区分（１０ｂ１、１０ｂ２）は、前記一般的けん引線（９）を出発して、前記遠位破断帯を形成する前記破断開始線（３）の前記第２の横方向区分（３ｂ２）に向かって離れることを特徴とする請求項１１に記載の蓋。
【請求項１３】
前記中心パネル（４）はまた、前記破断開始線（３）の長さの少なくとも一部に沿ってそれに近接して延びる成形区分（１１）を備え、前記中心パネル（４）の前記内側成形区分（１０）と周辺成形区分（１１）は互いに接続されて、一緒に単一の連続成形部を形成していることを特徴とする請求項１ないし１２の何れか一つに記載の蓋。
【発明の詳細な説明】
【技術分野】
【０００１】
本発明は容器、詳細には金属缶のための金属蓋に関する。それはより詳細には、少なくとも一つの補強成形部が設けられ、「プルリング」タイプの把持部材が取り付けられた中心パネルに破断開始線を介して結合された周辺環状要素を備えるタイプの蓋に関する。
【背景技術】
【０００２】
一定の金属容器、主として食品を詰める缶には缶切り型の工具の使用を避ける「容易な」開封装置が取り付けられる。
【０００３】
特に有益な解決策は、一般に「プルリング」と呼ばれる把持及びけん引部材が取り付けられた中心パネルに破断開始線を介して結合された周辺環状要素を備える一枚蓋にある。
このタイプの把持部材は従来、その長さにわたり二つの部分、すなわち、破断開始線に近接する蓋の中心パネルに取り付けられた「突出部」を支持する周辺部分と、開封操作される前は結合された中心パネルの上面に対して平坦化された把持輪を形成する内側部分とを備える。
【０００４】
容器を開封するために、使用者は把持部材の輪の自由部分をつかみ、次いで結合された中心パネルから把持部材を分離する。把持部材は次いで保持用突出部の形状をしたその周辺端部において使用者により回転される、破断のための破断開始線を引き起こす一種のレバーを形成する。
次いで、破断開始線上の開封運動を継続してその結合された環状要素から中心パネルを分離するには、使用者が把持部材に適宜なけん引力を与えることで十分である。
【０００５】
実際には、開封動作中に、中心パネルは通常は、一般的けん引線に対して横方向に向いた線に沿った折り畳み現象（言い換えれば、パネルの引き裂かれた部分はまだ引き裂かれないその部分に向かって折り返される傾向にある）を被る。
これらの現象は、けん引エネルギーの効率を低下させ、また消費者が破断開始線を引き裂くことを必要とする努力を増加させるという効果を有する。
【発明の概要】
【発明が解決しようとする課題】
【０００６】
この問題を制限するために、これらの望ましくない折り畳み又は曲がり現象に対するパネルの抵抗力を改善するように設計された補強成形部を中心パネル上に作ることが現在の慣行である。そうすれば蓋を開封するために消費者により加えられるけん引エネルギーは減少する。
【０００７】
しかしながら実際には、全ての補強成形部が消費者により加えられるけん引エネルギーを最適化するほど互いに有効であるわけではないことが分かる。
【０００８】
この理由により、出願人は開封に必要なけん引エネルギーを最適化及び減少させるように設計された、プルリングを有する新しい蓋構造を開発した。
【課題を解決するための手段】
【０００９】
本発明による金属蓋は（ｉ）それを容器体に取り付けるための周辺部分と、（ｉｉ）破断開始線により区切られて前記周辺部分に接続された中心封鎖パネルを形成する中心部分とを備え、前記中心パネルの表面の一方には縦方向対称軸が通過する二つの部分、すなわち、前記中心パネルに取り付けられた第１の部分と、把持用の第２の部分とから成る把持部材が取り付けられ、この把持部材は、前記把持部材に隣接する近位帯から前記把持部材の反対端にある遠位帯まで前記破断開始線を破断するために前記中心パネルをけん引することを可能にし、それはこのけん引中に、前記近位帯と前記遠位帯の間の前記中心パネル上に定められた一般的けん引線の少なくとも近似的に長さにわたり、それに向き合って進行するように設計され、中心パネルはまた、前記一般的けん引線に対して横方向の線に少なくとも沿った曲がりに対するその抵抗力を強化するために配置された、諸区分で形成された一つ以上の内側成形部を備え、前記内側成形区分の少なくとも二つはそれぞれ前記一般的けん引線の片側に配置される。
発明によれば、この蓋は、前記内側成形区分が、それぞれが前記一般的けん引線の片側に配置された二つの横方向成形部分を形成し、前記横方向成形部分はそれぞれ（ｉ）一般的けん引線の側にある内側成形区分と、（ｉｉ）前記内側区分と分離して間隔を置いて延び、前記破断開始線と向き合う外側成形区分とを備え、二つの横方向成形部分の前記内側区分及び／又は外側区分は（好都合にはそれらの長さの少なくとも一部にわたり）前記一般的けん引線に対し、また互いに発散するように延びて発散成形区分を形成することを特徴とする。
この蓋構造の価値は、それが横方向折り畳み（又は曲がり）現象を減少させ、従って、さらには開封に必要なけん引エネルギーを減少させることである。この利点は詳細には「鞍」又は「瓦（tile）」効果の創出、すなわち、把持部材をけん引する一般的線に対して横方向に向いたパネルの湾曲現象を引き起こすことに起因する。
【００１０】
互いに組み合わせて、あるいは互いに独立に採用することのできる他の好都合な利点は以下に明示される。すなわち、
−二つの横方向成形部分の内側区分は（好都合にはそれらの長さの少なくとも一部にわたり）前記一般的けん引線に対し、また互いに発散するように延び、二つの横方向成形部分の外側区分は（好都合にはそれらの長さの少なくとも一部にわたり）前記一般的けん引線に対し、また互いに発散するように延び、二つの横方向成形部分のこれらの内側区分と外側区分は発散成形区分を形成し、
−二つの横方向成形部分の内側及び／又は外側区分は破断開始線の遠位帯に向かって（好都合にはそれらの長さの少なくとも一部にわたり）前記一般的けん引線に対し、また互いに発散するように延び、
−発散成形区分はそれらの長さの少なくとも一部にわたり直線状又は少なくとも実質的に直線状に延び、
−発散成形区分は一般的けん引線に対して対称的又は実質的に対称的に延び、
−二つの横方向成形部分の内側区分は好都合には、一般的けん引線上に延びる第１の接合区分を介して一般的けん引線に近接する第１の端部において接続され、前記横方向成形部分のそれぞれの二つの区分は一般的けん引線から距離を置き、破断開始線に近接するそれらの第２の端部において第２の接合区分を介して接続され、
−全く同一の横方向成形部分の二つの成形区分は好都合には前記一般的けん引線に近接するそれらの端部から、一般的けん引線から遠いそれらの端部まで互いに発散し、
−一般的けん引線は少なくとも二つの部分、すなわち、（ｉ）破断開始線の近位帯の側にあり、把持部材の縦軸と同軸方向又は少なくとも実質的に同軸方向に向いた近位部分と、（ｉｉ）前記開始線の遠位帯の側にあり、前記遠位帯を通過する中心パネルの中央軸と同軸方向又は少なくとも実質的に同軸方向に向いた遠位部分とから成り、この場合、発散成形部分は一般的けん引線の前記遠位部分上に配置され、なおこの場合、少なくとも二つの他の成形区分は好都合にはそれぞれ一般的けん引線の近位部分の両側に配置され、前記近位成形区分は破断開始線の一部に近接してそれに沿って延び、二つの横方向部分を有する内側成形部の場合、近位成形区分はそれぞれ前記横方向成形部分の内の一つの外側区分の第１の端部に接続され、
−二つの発散成形区分は一般的けん引線の近位から遠位への方向に離れ、この場合、中心パネルは好都合には二つの横方向区分により接続された二つの縦方向区分を備える破断開始線により区切られた概ね非円形の形状を有し、把持部材は、その近位破断帯を形成するために前記破断開始線の第１の横方向区分と第１の縦方向区分との接合部に対応する前記破断開始線の隅に取り付けられ、二つの発散成形区分は、一般的けん引線から出発して、遠位破断帯を形成するための前記破断開始線の第２の横方向区分に向って離れ、
−あるいは、二つの発散成形区分は一般的けん引線の方向と逆の方向に分離してもよく（すなわち、それらは遠位から近位への方向に発散する）、
−中心パネルはまた「周辺」区分と呼ばれる成形区分を備え、前記周辺成形区分は、それと前記破断開始線との距離が０．５ないし５ｍｍとなるように破断開始線の長さの少なくとも一部に沿ってそれに近接して延び、
−中心パネルの内側及び周辺成形区分は単一の連続成形部を形成するように互いに接続され、
−内側成形区分、及び随意には周辺成形区分は、前記把持部材の持ち上げ動作中に前記横方向線上の中心パネルの折り畳みを促進するために前記把持部材の縦軸に対して横方向に延びる線上にある近位端を備える。
【００１１】
発明はまた、以下の添付図面に関する以下の説明により、全く限定されることなく例示される。
【図面の簡単な説明】
【００１２】
【図１】その中心パネルが連続補強成形部を備える本発明による蓋の、上から見た外観図である。
【図２】図１の蓋の平面ＩＩ−ＩＩに沿った断面図である。
【発明を実施するための形態】
【００１３】
図１に示されるように、蓋１は金属容器体（図示せず）の上縁に取り付けられるように設計される。
【００１４】
この容器体は通常は側壁の帯の下縁（円、正方形、矩形等の断面を有する）に結合された底部要素からなる。
蓋１と容器体の接続は通常は圧着技術により成される。
【００１５】
蓋１は従来は、破断開始線３により中心の取り外し可能な封鎖パネルを形成する部分４と結合された周辺環状要素を形成する部分２から成る。
それは好都合には、アルミ、鋼等のタイプの金属で出来たシートを基にプレス技術により単一部品で作られる。
【００１６】
上から見たときに、蓋１は概ね非円形、この場合は矩形をしている。
【００１７】
環状要素２は従って矩形形状を有する。それは、蓋１がやはり矩形断面（上に指摘されるように、この概略形状は異なってもよい）をもつ容器側壁に対して圧着されるように構成される。
【００１８】
破断開始線３（以下「破断線」とも呼ばれる）はこの場合は上から見たときにやはり概ね矩形形状を有する（図１）。それは二つの横方向区分３ｂ１と３ｂ２により接続された二つの縦方向区分３ａ１と３ａ２を備える。
【００１９】
この破断線３は蓋が製造されるときに適当な工具の使用により遂行される材料の薄化により作られる。
破断線３はこの場合は閉じられており／完了しており（それは封鎖パネル４の全周にわたっている）、あるいはそれは部分的のみであってもよい。
【００２０】
一方、中心封鎖パネル４もまた、縦方向対称軸４’をもつ概ね矩形の形状を有する。
【００２１】
このパネル４の上面には、使用者によるその操作が蓋１の容易な開封（すなわち、線３の破断による周辺環状要素２からの中心パネル４の完全又は部分的分離）を可能にする把持部材６が取り付けられる。
この把持部材６は一般的に当業者により「プルリング」として知られている。
【００２２】
プルリング６は図１において、ただ目安として模式的に破線で示される。
この場合、それは前記破断線３の第１の横方向区分３ｂ１と第１の縦方向区分３ａ１との接合部により形成された破断線３の隅に取り付けられ、破断線３のこの隅は近位又は上流帯と呼ばれる破断帯３ｃに対応する。
【００２３】
このリング６は近位帯３ｃを二等分する線と同軸方向に向いた対称軸６’に沿って配置された二つの部分、すなわち、
−突出部（図示せず）を備え、破断線３に近接する、パネル４に取り付けられた周辺部分７と、
−中心パネル４の上面に対してプレスされた把持輪を形成する内側部分８と
を備える。
【００２４】
実際には、この環状要素６は使用者が中心パネル４をけん引して前述の近位又は上流帯３ｃ（把持部材６に隣接する）から前記リング６の反対にある遠位又は下流帯まで破断開始線３を破断できるようにする。この遠位帯はこの場合、前述の第１の横方向区分３ｂ１の反対にある破断線３の第２の横方向区分３ｂ２に対応する。
【００２５】
けん引行為の間、リング６は、少なくとも近似的に近位帯３ｃと遠位帯３ｂ２の間の中心パネル上に定められる一般的けん引線９の長さにわたり、それに向き合って進行する。
【００２６】
この一般的けん引線９は図１では破線で表わされる。それはこの場合、概ね直線形状の二つの部分、すなわち、
−破断開始線３の近位帯３ｃの側にあり、把持部材６の縦軸６’と同軸方向又は少なくとも実質的に同軸方向に向いた近位部分９ａと、
−前記破断線３の遠位帯３ｂ２の側にあり、前記遠位帯３ｂ２を通過する中心パネル４の中央軸４’と同軸方向又は少なくとも実質的に同軸方向に向いた（この中央軸４’はここでは破断線３の二つの縦方向区分３ａと平行にその間に延びる）遠位部分９ｂと
から成る。
けん引線９のこれら二つの部分９ａと９ｂはこの場合、破断開始線３の角（かど）にあるリング６の位置のために互いに角度を成す。それらは概ね円弧形状をした接合部分９ｃにより接続され、リングは普通は近位部分３ａから遠位部分３ｂに徐々に通過する。
【００２７】
中心パネル４はまた、中心パネル４を補強するように構成された、この場合は凹部（あるいは凸部）としての成形部又はプレス部を備える。
【００２８】
この場合、中心パネル４は破断開始線３の長さに沿ってそれに近接して延びる「周辺」成形部と呼ばれる第２の成形部１１により囲まれた、「中心」又は「内側」成形部と呼ばれる第１の成形部１０を備える。
これらの「内側」成形部１０と「周辺」成形部１１はここでは連続であり、あるいはそれらは互いにかつ／あるいはそれら自身不連続であってもよい。
これらの成形部は単純な成形部（一つの高さ変化のみ）により区切られ、それらは例えば凹部又は凸部の単一リブを形成する二重成形部により定められてもよい。
【００２９】
発明によれば、中心成形部１０を定める成形区分の少なくともいくつかは、それが開封されるときに中心パネル４に対して「鞍」又は「瓦」効果（すなわち、一般的けん引線９に対して横方向のこのパネル４の曲がり、あるいは言い換えれば、その中央軸４’の水準に達する高い点をもつ破断線３の二つの縦方向区分３ａから始まる曲がり）を発生させるように配置される。
【００３０】
このために、以下に説明するように、内側成形部１０の区分の少なくとも二つはそれぞれ一般的けん引線９の片側に配置され、前記一般的けん引線９に対して、また互いに発散するように延びる。
【００３１】
より正確には、内側成形部１０は、それぞれけん引線９の近位部分９ａと、遠位部分９ｂと、その両側とに延びる「近位」又は「上流」と呼ばれる成形区分１０ａと「遠位」又は「下流」と呼ばれる他の成形区分１０ｂから成る。
【００３２】
内側成形部１０の遠位区分１０ｂは、概ね取っ手状又はＵ字状の、またそれぞれ一般的けん引線９の遠位部分９ｂの片側に配置された二つの横方向成形部分１３を形成する。
【００３３】
これらの横方向成形部分１３はそれぞれ（ｉ）一般的けん引線９の側にある内側成形区分１０ｂ１と、（ｉｉ）前記内側区分１０ｂ１と分離して間隔を置いて延び、前記破断開始線３と向き合う外側成形区分１０ｂ２と、（ｉｉｉ）一般的けん引線９から距離を置き、破断開始線３の遠位帯３ｂ２に近接するそれらの下流端にある二つの成形区分１０ｂ１と１０ｂ２を接続する接合区分１０ｂ３とを備える。
この場合、求められる鞍又は瓦効果を発生可能な発散成形区分を形成するのは内側区分１０ｂ１と外側区分１０ｂ２である。
【００３４】
これらの内側区分１０ｂ１と外側区分１０ｂ２は一般的けん引線９に対して特にその遠位部分９ｂから対称的又は少なくとも実質的に対称的に延びる。
それらはこの遠位部分９ｂの実質的に全長に向き合ってそれに沿って、ここではパネル４の長さのおよそ半分にわたり延びる。
【００３５】
内側区分１０ｂ１は直線状又は少なくとも実質的に直線状に延びる。
それらは前記一般的けん引線９において、又それを通って延びる接合区分１０ｂ４（円弧の概略形状をしている）により一般的けん引線９に近接するそれらの上流端において一緒に接続される。
【００３６】
従ってこれらの区分１０ｂ１は一緒に、遠位破断帯３ｂ２の方向に開くＶ字状を形成し、その対称軸はパネル４の中央軸４’に対応する。
これらの内側区分１０ｂ１は上流から下流への方向に（すなわち、やはり前記遠位破断帯３ｂ２の方向に）互いに発散する。
【００３７】
内側区分１０ｂ２は直線状又は少なくとも実質的に直線状に延びる二つの部分、すなわち、向き合うけん引線９に対して発散する上流部分１０ｂ２’と、縦方向破断区分３ａ１に平行又は少なくとも実質的に平行な下流部分１０ｂ２”とを備える。
【００３８】
上流区分１０ｂ２’はまた上流から下流への方向に（すなわち、やはり前記遠位破断帯３ｂ２の方向に）互いに発散する。
【００３９】
同様に、全く同一の横方向成形部分１３の二つの成形区分１０ｂ１と１０ｂ２（特に上流区分１０ｂ２’にある）は一般的けん引線９（遠位部分９ｂの上流側の）に近接するそれらの上流端から、一般的けん引線９（遠位部分９ｂの下流側の）から距離を置いたそれらの下流端まで互いに発散する。
この特定の構造はさらに、求められる「瓦」又は「鞍」効果を強化する。
【００４０】
さらに、図１にも示されるように、近位成形区分１０ａはまたそれぞれ、一般的けん引線９の片側に、主としてその近位部分９ａに、また接合部分９ｃにも配置される。
これらの区分１０ａの機能は破断線３の引き裂きの開始を最適化するためにパネル４を補強することである。
【００４１】
これらの近位成形区分１０ａ１の二つは破断開始線３の一部に近接してそれに沿って延びる。それらは向き合う破断開始線３のその部分と同一又は同様の形状を有する。
この場合、区分１０ａ１’の一方（図１の右で、第１の縦方向破断区分３ａ１の一部に向き合う）は単純な直線形状を有し、他方の区分１０ａ１”（図１の左で、第１の横方向区分３ｂ１と第２の縦方向破断区分３ａ２の一部に向き合う）は概ねＬ字状をしている。
【００４２】
これら二つの近位成形区分１０ａ１はこの場合はそれぞれ、湾曲接合部を介して横方向成形部分１３の内の一つの外側区分１０ｂ２の上流端に接続される。
この接合はこの場合、近位から遠位への方向に互いに集束する、直線又は実質的に直線の成形部分１０ａ２により達成される。
これらの集束区分１０ａ２は特に、横方向遠位部分１３の区分１０ｂ１と１０ｂ２の発散特性を強化するために使用される。
【００４３】
さらに、上に論じられたように、中心パネル４はまた破断線３に沿って延びる周辺成形区分１１を備える。
目安として、これらの周辺成形区分１１と前記破断開始線３を分離する幅は好都合には０．５ないし５ｍｍである。
【００４４】
これらの周辺成形区分１１は一緒に単一の連続成形部を形成するように近位内側区分１０ａの上流端に接続される。
【００４５】
内側区分１０と周辺区分１１との二つの接続部１４（それらの近位端にある）は互いに距離を置いてけん引線９の両側にあり、それらはまた、リング６の要求空間の外側に、近位破断帯３ｃから距離を置いて位置する。
これら二つの接続部１４は前記把持部材６の持ち上げ動作中に前記横方向線１５での中心パネル４の折り畳みを促進するために前記把持部材６の縦軸６’に対して横方向に延びる線１５上に位置する。
【００４６】
図１はまた近位成形区分１０ａの間にリング６の進行軸９上に位置する円形成形部１６の存在を示す。
この成形部１６はまた、缶が開封されるときに消費者が握るのをより容易にするためにリング６の輪８に位置するように設計される。
【００４７】
実際には、蓋は近位から遠位への方向に専用リング６をけん引することにより従来のように開封される。
【００４８】
このけん引動作中に、このリング６は上に詳述された一般的けん引線９に実質的に沿って移動する。
二つの横方向成形部分１３が求められる鞍又は瓦効果を生じるのは特にこのけん引線９の遠位部分９ｂにおいてである。
破断線の引き裂きに関するけん引エネルギーの効率は、これらの区分がけん引線に平行に延びる成形部が設けられた蓋と比較して特に改善される。
【００４９】
代替実施例（図示せず）によれば、リング６は破断線の横方向区分３ｂ１の中央又は少なくとも実質的に中央に置かれてもよい。このリング６は従って、その軸６’がパネル４の中央軸４’と同軸となるように向いている。
この場合、リング６の移動線９は直線又は少なくとも実質的に直線である。内側補強成形部１０はそのとき、最適な「鞍」効果を得るためにパネル４の実質的に全長にわたり延びる二つの横方向部分１３により形成することができる。
【符号の説明】
【００５０】
１  蓋
２  周辺環状要素
３  破断開始線
３ａ  破断開始線の縦方向部分
３ｂ  破断開始線の横方向部分
３ｃ  破断開始線の隅
４  封鎖パネル
６  プルリング、把持部材
６’  把持部材の縦対称軸
７  把持部材の第１の部分
８  把持部材の第２の部分
９  一般的けん引線
９ａ  けん引線の近位部分
９ｂ  けん引線の遠位部分
１０  内側成形部
１０ａ  内側成形部の近位区分
１０ｂ  内側成形部の遠位区分
１１  周辺成形部
１３  横方向成形部分
１４  内側成形部と周辺成形部の接続部
１５  把持部材の縦軸に対して横方向に延びる線
１６  円形成形部
【図１】
2012527381.tif 000003
【図２】
2012527381.tif 000004
【国際調査報告】
2012527381.tif 000005
2012527381.tif 000006
2012527381.tif 000007
2012527381.tif 000008